(57)【要約】      （修正有）【課題】構造が簡単で組み立てや解体が簡単に行え、しかもスクリーンの引出し長さの細かな調節が可能になり、ロック解除時における操作アクション数の削減が実現できる映写スクリーン等のスクリーン巻取装置を提供する。【解決手段】  固定配置となる支持軸に回転可能に取付けたロックドラムの内周面で軸心を挟む対向位置に、ロックドラムの引き出し方向の回転に対する先端側に傾斜面と、この傾斜面の下がり側端部に連なる係止段部を有する係止突起を設け、前記支持軸のロックドラム内に位置する部分に、回転不能で軸方向に移動可能となる可動筒と、可動筒を中立位置に保持するスプリングを装着し、前記可動筒の外面で両側の位置に、回動する係止突部の接触によってこの係止突部に軸方向の移動を付与し、係止突起の係止段部が巻取り方向への回動によって係合する回転ロック羽根が設けられている。【選択図】図１
2006113177.tif 000002
【特許請求の範囲】
【請求項１】
固定配置となる支持軸に、スクリーン巻取りドラムを支持する円筒状のロックドラムを回転可能に取付け、このロックドラムの内周面で軸心を挟む対向位置に、ロックドラムの引き出し方向の回転に対する先端側に傾斜面と、この傾斜面の下がり側端部に連なる係止段部を有する係止突起を設け、前記支持軸のロックドラム内に位置する部分に、回転不能で軸方向に移動可能となる可動筒と、この可動筒の両端側に縮設され、可動筒を互に相手側に押圧して可動筒を中立位置に保持するスプリングを装着し、前記可動筒の外面で軸心を挟む両側の位置に、可動筒が中立位置にある状態でこの可動筒から前記係止突部の回動軌跡内に向けて固定的に突出し、前記回動する係止突部の接触によってこの係止突部に軸方向の移動を付与し、係止突起の係止段部が巻取り方向への回動によって係合する回転ロック羽根を設けた映写スクリーン等のスクリーン巻取装置。
【発明の詳細な説明】
【技術分野】
【０００１】
この発明は、巻取りドラムに巻回した映写スクリーン等のスクリーンを引出した位置を自由に設定することができ、この引出しと巻取りの動作が途中で中断されることがないと共に、引出しと巻取りの切り換えがどこの位置においても可能となり、ロック解除のアクション数を少なくすることができる映写スクリーン等のスクリーン巻取装置に関する。
【背景技術】
【０００２】
スクリーン巻取装置は、回転が可能で巻取り弾性を蓄積する巻取りドラムにスクリーンを巻回し、使用時にスクリーンを所定長さだけ引出し、使用後は、巻取りドラムに巻取りドラムに巻取るものであり、このようなスクリーン巻取装置には、引出したスクリーンを必要な長さの引出し位置で固定化できるようにして、スクリーンを巻取るための操作時に巻取長さが少なくすむような機構が要望される。
【０００３】
従来、このような要望に対応するスクリーン巻取装置は、固定位置となる支持軸、回転不能で軸方向に移動可能となるよう取付けられ、外周面に無端状のカム溝が設けられたカムドラムと、このカムドラムに回転が可能となるよう外嵌するカムホルダーと、前記カムホルダーに外嵌して一体に回転するスクリーン巻取りドラムと、前記カム溝へ係合するようカムホルダーで定位置に保持されたスライドボールと、上記支持軸と巻取りドラムの間に設けられ、巻取りドラムのスクリーン引出し方向の回転で、巻取りドラムに対するスクリーン巻取り方向の弾性を蓄積する弾性付与手段とで形成されている。
【０００４】
上記のようなスクリーン巻取装置は、巻取りドラムのスクリーンを引出すと、巻取りドラムとカムホルダー及びスライドボールが引出し方向へ一体に回転し、カム溝に係合しているスライドボールの回転で、カムドラムはカム溝の形状に従って軸方向に移動し、スクリーンの引出しを停止して手を放すと、弾性付与手段が蓄積した弾性で、巻取りドラムとカムホルダー及びスライドボールが逆転し、この逆転でカムドラムのカム溝に設けた係止部がスライドボールに係合し、巻取りドラムとカムホルダーが停止することにより、スクリーンの引出し状態が固定化される。
【０００５】
また、スクリーンを巻取るときは、スライドボールにカムドラムの係止部が係合する状態で、スクリーンを少し引出すと、スライドボールに対するカムドラムの移動で係止部はスライドボールからのロックが解け、スクリーンから手を放すと巻取りドラムが巻取り方向に回転し、スクリーンの全長が巻取りドラムに巻取られることになる（特許文献１参照）。
【特許文献１】実用新案登録第３０７７１９４号公報
【発明の開示】
【発明が解決しようとする課題】
【０００６】
ところで、上記のような従来のスクリーン巻取装置は、引出したスクリーンの係止機構が、カムドラムと、このカムドラムに回転が可能となるよう外嵌するカムホルダーと、カム溝へ係合するようカムホルダーで定位置に保持されたスライドボールを用いて構成されているので、構造及び組み立て時の工程が複雑となり、メンテナンス時の解体や組み立てに手間がかかるという問題がある。
【０００７】
また、カムドラムのカム溝に設けた係止部がカムドラムの外周面に対して一箇所の位置に設けられているので、巻取りドラムの一回転ごとのロックとなり、スクリーンの引出し長さの細かな調節が得られないことになる。
【０００８】
更に、スライドボールがカムドラムの係止部に係止したロック状態を解除するには、スクリーンを少し引出すと、スライドボールに対してカムドラムをカム溝の形状に沿って移動させるために、係止部から巻取り溝への移動のためのスクリーンの操作アクションに、引き出しと巻き戻し方向の操作が必要になり、操作アクションに手間がかかるという問題がある。
【０００９】
そこで、この発明の課題は、構造が簡単で組み立てや解体が簡単に行え、しかも、巻取りドラムの半回転ごとにロックが得られるので、スクリーンの引出し長さの細かな調節が可能になり、ロック解除時における操作アクション数の削減が実現できる映写スクリーン等のスクリーン巻取装置を提供することにある。
【課題を解決するための手段】
【００１０】
上記のような課題を解決するため、この発明は、固定配置となる支持軸に、スクリーン巻取りドラムを支持する円筒状のロックドラムを回転可能に取付け、このロックドラムの内周面で軸心を挟む対向位置に、ロックドラムの引き出し方向の回転に対する先端側に傾斜面と、この傾斜面の下がり側端部に連なる係止段部を有する係止突起を設け、前記支持軸のロックドラム内に位置する部分に、回転不能で軸方向に移動可能となる可動筒と、この可動筒の両端側に縮設され、可動筒を互に相手側に押圧して可動筒を中立位置に保持するスプリングを装着し、前記可動筒の外面で軸心を挟む両側の位置に、可動筒が中立位置にある状態でこの可動筒から前記係止突部の回動軌跡内に向けて固定的に突出し、前記回動する係止突部の接触によってこの係止突部に軸方向の移動を付与し、係止突起の係止段部が巻取り方向への回動によって係合する回転ロック羽根を設けた構成を採用したものである。
【００１１】
ここで、上記スクリーン巻取りドラムには、スクリーン巻取り方向の回転弾性を蓄積する弾性付与手段が設けられ、円筒状のロックドラムは一端側に連成したヘッド部に巻取りドラムの端部が嵌合し、巻取りドラムとロックドラムが一体に回転するよう結合されている。
【００１２】
上記支持軸のロックドラムの内部に位置する部分に樹脂製のスライド筒を外嵌固定し、このスライド筒に可動筒を軸方向への移動のみが可能となるよう取付けると共に、可動筒の一端側とロックドラムのヘッド部間に一対の可動ばね受けを設け、両可動ばね受け間にスプリングを縮設し、また、可動筒の他端側には、支持軸に固定した固定ばね受けと可動筒側の位置に可動ばね受けを設け、固定と可動の両ばね受け間にスプリングを縮設し、両スプリングによって可動筒を中立位置に保持するようになっている。
【００１３】
従って、可動筒の両側に突設した回転ロック羽根は、可動筒の軸方向に可動軸と共に移動可能で、ロックドラムの回転方向に固定の配置となり、また、ロックドラムの内周面に設けた係止突部は、ロックドラムの回転によって同一位置を回転することになる。
【発明の効果】
【００１４】
この発明によると、ロックドラムの内周面で軸心を挟む対向位置に係止突起を設け、支持軸に回転不能で軸方向に移動可能となるよう取付けた可動筒の両端側に可動筒を中立位置に保持するスプリングを装着し、前記可動筒の外面で軸心を挟む両側の位置に、回動する係止突部の接触によってこの係止突部に軸方向の移動を付与し、係止突起の係止段部が巻取り方向への回動によって係合する回転ロック羽根を設けたので、従来の係止機構のような、カムドラムとカムホルダー及びスライドボールを用いたものと比べて、構造及び組み立て時の工程が簡略化でき、メンテナンス時の解体や組み立て時の手間が省ける。
【００１５】
また、ロックドラムの内周面で軸心を挟む対向位置に係止突起を設け、可動筒の外面で軸心を挟む両側の位置に、回動する係止突部の接触によってこの係止突部に軸方向の移動を付与し、係止突起の係止段部が巻取り方向への回動によって係合する回転ロック羽根を設けたので、巻取りドラムの半回転ごとにロックが得られることになり、引出しと巻取りの切り換えがどこの位置においても可能となり、スクリーンの引出し長さの細かな調節が可能になる。
【００１６】
更に、ロック解除はスクリーンを少し引出すだけで、係止突起の係止段部が回転ロック羽根から離れ、回転ロック羽根が中立位置に戻ることでスクリーンの巻取りが行え、これにより、ロック解除時はスクリーンを少し引出すワンタッチ操作だけでよく、アクション数の削減により使い勝手がよくなる。
【発明を実施するための最良の形態】
【００１７】
以下、この発明の実施の形態を添付図面に基づいて説明する。
【００１８】
図示のように、この発明のスクリーン巻取装置１は、両端が取付けブラケットで支持されて固定配置となる支持軸２に、スクリーン巻取りドラム３の一方端部を支持する円筒状のロックドラム４を回転可能に取付け、このロックドラム４の内周面で軸心を挟む対向位置に係止突起５を設け、前記支持軸２のロックドラム４内に位置する部分に、軸方向に移動可能となる可動筒６と、この可動筒６を中立位置に保持する一対のスプリング７と８を装着し、前記可動筒６の外面で軸心を挟む両側の位置に、回動する係止突部５の接触によってこの係止突部で軸方向の移動が付与され、係止突起５の係止段部９が巻取り方向への回動によって係合する回転ロック羽根１０を設けて形成されている。
【００１９】
上記ロックドラム４は、図１のように、二つ割りとなる一対の下がり側端部に連なる係止段部９を有する略片矢印形の係止突起５が内方への突出状に設けられている。
【００２０】
上記スクリーン巻取りドラム３は、ロックドラム４に対して同軸心状に外嵌し、端部をヘッド部１３に嵌合固定することにより、巻取りドラム３とロックドラム４は一体に回転するようになっている。
【００２１】
上記前記支持軸２のロックドラム４内に位置する部分に、樹脂製のスライド筒１６を外嵌固定し、このスライド筒１６に可動筒６を異形断面の嵌り合いによって回転不可で軸方向への移動のみが可能となるよう取付けると共に、可動筒６の一端側とロックドラム４のヘッド部１３間にスライド筒に外嵌する固定ばね受け１７と可動ばね受け１８を設け、これら両ばね受け１７と１８間にスライド筒１６へ外嵌するスプリング７を縮設し、また、可動筒６の他端側には、支持軸２に固定した固定ばね受け１９と可動筒６側の位置にスライド筒へ外嵌する可動ばね受け２０を設け、固定ばね受け１９と可動ばね受け２０間にスライド筒１６へ外嵌するスプリング８を縮設し、両スプリング７と８の弾性を設定することによって可動筒６を中立位置に保持するようになっている。
【００２２】
上記可動筒６の外面で軸心を挟む両側の位置に、可動筒６が中立位置にある状態でこの可動軸６から前記係止突部５の回動軌跡内に向けて固定的に突出し、前記回動する係止突部５の接触によってこの係止突部５で軸方向の移動が付与され、係止突起５の係止段部９が巻取り方向への回動によって係合する回転ロック羽根１０が突設されている。
【００２３】
なお、図示省略したが、スクリーン巻取りドラム３には、スクリーンを引出した時の回転で巻取り方向の回転弾性を蓄積する周知の弾性付与手段や、巻取り時の回転速度が高速にならないようにする調速機構が設けられている。
【００２４】
この発明のスクリーン巻取装置は、上記のような構成であり、次に、スクリーンの引き出し及び巻取りの動作を説明する。
【００２５】
図２は、スクリーンの引き出し工程における途中で可動筒６が中立位置にある状態を示し、可動筒６の回転ロック羽根１０に対してロックドラム４の係止突部５は回転方向に離れた位置にあり、可動筒６の回転ロック羽根１０は係止突部５の回動軌跡内に位置している。
【００２６】
図３と図４のように、スクリーン巻取りドラム３とロックドラム４がスクリーンの引き出し方向に回転すると、同じく一体に回転する係止突部５は、先端の傾斜面１５が回転ロック羽根１０に当接し、この傾斜面１５の作用により、回動する係止突部５は、回転不能となる回転ロック羽根１０を図３の右側に向けて可動筒６の軸方向へ移動させることになる。
【００２７】
このとき、回転ロック羽根１０と可動筒６は一体に移動し、図３の右側に位置するスプリング８は圧縮され、同左側位置するスプリング７は伸長する。
【００２８】
上記ロックドラム４のスクリーンの引き出し方向への回転が続き、係止突部５の傾斜面１５の後端が回転ロック羽根１０を通過すると、図５ように、係止突部５の係止段部９が回転ロック羽根１０に臨み、傾斜面１５から開放された回転ロック羽根１０は、スプリング７と８の作用で中立位置に戻ろうとし、図５の左側へ移動し、これによって回転ロック羽根１０は係止段部９に落ち込む。
【００２９】
この状態で、スクリーンの引出しを止めて手を放すと、スクリーン巻取りドラム３とロックドラム４がスクリーンの巻取り方向に回転し、係止突部５の係止段部９が回転ロック羽根１０に係合し、これにより、スクリーン巻取りドラム３とロックドラム４の回転が停止し、スクリーンの引出し状態が保持されることになる。
【００３０】
上記係止突部５と回転ロック羽根１０は、それぞれ１８０°の配置で設けてあるので、スクリーン巻取りドラム３の半回転ごとにロック状態が得られ、引出しと巻取りの切り換えがどこの位置においても可能となり、スクリーンの引出し長さの細かな調節が可能になる。
【００３１】
また、図５のように、回転ロック羽根１０が係止段部９に落ち込んだ状態で、更にスクリーンの引出しを続けると、係止突部５は回転ロック羽根１０から離反し、回転ロック羽根１０は図２の中立位置に移動し、次の係止突部５がこの回転ロック羽根１０に当接することで、図２から図５の動作を繰り返し、これによって、スクリーンを必要な長さだけ連続して引出すことができ、引出しを止めると、図５で示したように、係止突部５の係止段部９が回転ロック羽根１０に係合し、スクリーンの引出し状態が保持されることになる。
【００３２】
次に、引出したスクリーンを巻き取る場合は、図５で示したように、係止突部５の係止段部９が回転ロック羽根１０に係合した状態で、スクリーンを少し引出すと、図６のように、係止突部５は回転ロック羽根１０から離反し、回転ロック羽根１０は中立位置に移動し、この状態で、スクリーンの引出しを止めて手を放すと、スクリーン巻取りドラムとロックドラムがスクリーンの巻取り方向に回転し、係止突部５は直線部１４の端部から回転ロック羽根１０に当接することにより、図７のように、回転ロック羽根１０を同図左側に移動させ、係止突部５の係止段部９と回転ロック羽根１０の係合が発生しないようにするので、スクリーン巻取りドラム３とロックドラム４は、巻き取り方向へ連続的に回転し、スクリーンを巻取ることができる。
【００３３】
このように、引出したスクリーンを巻き取る場合、スクリーンを少し引出すだけのワンタッチ操作だけで行え、アクション数の削減を図ることができる。
【図面の簡単な説明】
【００３４】
【図１】この発明に係るスクリーン巻取装置の要部構造を示す分解斜視図
【図２】（ａ）はこの発明に係るスクリーン巻取装置の回転ロック羽根が中立位置にある状態を示す縦断正面図、（ｂ）は同縦断側面図
【図３】（ａ）はこの発明に係るスクリーン巻取装置のスクリーンの引出し時における回転ロック羽根と係止突部の関係を示す縦断正面図、（ｂ）は同縦断側面図
【図４】（ａ）はこの発明に係るスクリーン巻取装置のスクリーンの引出し時における回転ロック羽根と係止突部の関係を示す縦断正面図、（ｂ）は同縦断側面図
【図５】（ａ）はこの発明に係るスクリーン巻取装置のスクリーンの引出し時における回転ロック羽根と係止突部の関係を示し、係止突部の係止段部が回転ロック羽根に係合したロック状態の縦断正面図、（ｂ）は同縦断側面図
【図６】（ａ）はこの発明に係るスクリーン巻取装置のスクリーンの引出し時における回転ロック羽根と係止突部の関係を示し、回転ロック羽根が中立位置にある状態を示す縦断正面図、（ｂ）は同縦断側面図
【図７】（ａ）はこの発明に係るスクリーン巻取装置のスクリーンの巻取り時における回転ロック羽根と係止突部の関係を示す縦断正面図、（ｂ）は同縦断側面図
【符号の説明】
【００３５】
１        スクリーン巻取装置        
３        スクリーン巻取りドラム
４        ロックドラム
５        係止突起
６        可動筒
７        スプリング
８        スプリング
９        係止段部
１０      回転ロック羽根
１１      半円筒体
１２      半円筒体
１３      ヘッド部
１４      棒状部
１５      傾斜面
１６      スライド筒
１７      固定ばね受け
１８      可動ばね受け
１９      固定ばね受け
２０      可動ばね受け
【図１】
2006113177.tif 000003
【図２】
2006113177.tif 000004
【図３】
2006113177.tif 000005
【図４】
2006113177.tif 000006
【図５】
2006113177.tif 000007
【図６】
2006113177.tif 000008
【図７】
2006113177.tif 000009